(57)【要約】【課題】半透過型または透過型の液晶ディスプレイの照明装置を備えたカメラの小型化とコストダウンを図る。【解決手段】ストロボと、このストロボの発光量を検出するストロボ調光センサとを備えたカメラの液晶ディスプレイの照明装置であって、撮像画像を表示する半透過型または透過型の液晶ディスプレイと、この液晶ディスプレイを背面から照明する照明手段と、前記液晶ディスプレイの周囲の明るさを検出する明るさ検出手段と、この明るさ検出手段で検出した明るさに応じ前記照明手段の点灯および消灯を含む光量調整をする光量調整手段とを備えたカメラの液晶ディスプレイの照明装置において、前記明るさ検出手段として前記ストロボ調光センサを兼用する。【選択図】  図１
2004236247.tif 000002
【特許請求の範囲】
【請求項１】
ストロボ調光センサを有するストロボまたはリモコン受光部を備えたカメラの液晶ディスプレイの照明装置において、
前記液晶ディスプレイの周囲の明るさを、前記ストロボ調光センサまたはリモコン受光部により検出し、その明るさに応じて半透過型または透過型の液晶ディスプレイの背面を照明することを特徴とするカメラの液晶ディスプレイの照明装置。
【請求項２】
レンズを介して入射された被写体光を光電変換する撮像素子と、この撮像素子からの信号を映像信号に変換する処理回路と、ストロボと、このストロボの発光量を検出するストロボ調光センサとを備えたカメラの液晶ディスプレイの照明装置であって、
撮像画像を表示する半透過型または透過型の液晶ディスプレイと、
この液晶ディスプレイを背面から照明する照明手段と、
前記液晶ディスプレイの周囲の明るさを検出する明るさ検出手段と、
この明るさ検出手段で検出した明るさに応じ前記照明手段の点灯および消灯を含む光量調整をする光量調整手段と、
を備えたカメラの液晶ディスプレイの照明装置において、
前記明るさ検出手段として前記ストロボ調光センサを兼用したことを特徴とするカメラの液晶ディスプレイの照明装置。
【請求項３】
レンズを介して入射された被写体光を光電変換する撮像素子と、この撮像素子からの信号を映像信号に変換する処理回路と、リモコン受光部とを備えたカメラの液晶ディスプレイの照明装置であって、
撮像画像を表示する半透過型または透過型の液晶ディスプレイと、
この液晶ディスプレイを背面から照明する照明手段と、
前記液晶ディスプレイの周囲の明るさを検出する明るさ検出手段と、
この明るさ検出手段で検出した明るさに応じ前記照明手段の点灯および消灯を含む光量調整をする光量調整手段と、
を備えたカメラの液晶ディスプレイの照明装置において、
前記明るさ検出手段として前記リモコン受光部を兼用したことを特徴とするカメラの液晶ディスプレイの照明装置。
【発明の詳細な説明】
【０００１】
【発明の属する技術分野】
本発明は、ビデオカメラやデジタルカメラ等の半透過型または透過型の液晶ディスプレイの照明装置に関する。
【０００２】
【従来の技術】
従来、ビデオカメラやデジタルカメラ等の半透過型または透過型の液晶ディスプレイの照明装置は、液晶ディスプレイのホルダ内部に照明装置と液晶ディスプレイの背面側の明るさを測光するセンサを設け、外部からの受光量と内部の発光量を合わせた測光値が所定値になるように照明装置を調光するものがある（特許文献１参照。）。
【０００３】
【特許文献１】
特許第２７６１７３３号公報
【０００４】
【発明が解決しようとする課題】
しかしながら、前述の従来技術は、液晶ディスプレイの照明量を最適に制御することができるものの、専用の測光素子を設けるため、装置の小型化に反するものであり、また、コスト面でも測光素子を設けた分高くなるという課題があった。そこで、本発明は、液晶ディスプレイの照明量を調整するためのセンサを他のセンサと兼用することで専用のセンサを不要にし、カメラの小型化とコストダウンを可能にした液晶ディスプレイの照明装置を提供することを目的とする。
【０００５】
【課題を解決するための手段】
そこで上記目的を達成するために、請求項１の発明は、ストロボ調光センサを有するストロボまたはリモコン受光部を備えたカメラの液晶ディスプレイの照明装置において、前記液晶ディスプレイの周囲の明るさを、前記ストロボ調光センサまたはリモコン受光部により検出し、その明るさに応じて半透過型または透過型の液晶ディスプレイの背面を照明する。それにより、部品点数が減り、小型化と低コスト化が可能となる。
【０００６】
請求項２の発明は、レンズを介して入射された被写体光を光電変換する撮像素子と、この撮像素子からの信号を映像信号に変換する処理回路と、ストロボと、このストロボの発光量を検出するストロボ調光センサとを備えたカメラの液晶ディスプレイの照明装置であって、撮像画像を表示する半透過型または透過型の液晶ディスプレイと、この液晶ディスプレイを背面から照明する照明手段と、前記液晶ディスプレイの周囲の明るさを検出する明るさ検出手段と、この明るさ検出手段で検出した明るさに応じ前記照明手段の点灯および消灯を含む光量調整をする光量調整手段とを備えたカメラの液晶ディスプレイの照明装置において、前記明るさ検出手段として前記ストロボ調光センサを兼用する。それにより、部品点数が減り、小型化と低コスト化が可能となる。
【０００７】
請求項３の発明は、レンズを介して入射された被写体光を光電変換する撮像素子と、この撮像素子からの信号を映像信号に変換する処理回路と、リモコン受光部とを備えたカメラの液晶ディスプレイの照明装置であって、撮像画像を表示する半透過型または透過型の液晶ディスプレイと、この液晶ディスプレイを背面から照明する照明手段と、前記液晶ディスプレイの周囲の明るさを検出する明るさ検出手段と、この明るさ検出手段で検出した明るさに応じ前記照明手段の点灯および消灯を含む光量調整をする光量調整手段とを備えたカメラの液晶ディスプレイの照明装置において、前記明るさ検出手段として前記リモコン受光部を兼用する。それにより、部品点数が減り、小型化と低コスト化が可能となる。
【０００８】
【発明の実施の形態】
以下、図に沿って本発明の実施形態を説明する。
図１は、第１の実施形態である、ストロボを有するカメラの半透過型液晶ディスプレイの照明装置のブロック図である。図において、レンズ１を通った被写体光は、撮像素子（以下、ＣＣＤ）２の受光面に結像する。ＣＣＤ２は受光面に結像した被写体光を、その光量に応じた量の電荷に変換する。こうして蓄積された信号電荷は、ＣＣＤ駆動回路（図示せず）から加えられる駆動パルスに基づいて順次転送され、信号電荷に応じた電気信号に変換される。ＣＣＤ２から読み出された電気信号は、信号処理回路３に送られ、ここでゲイン調整、Ａ／Ｄ変換、色分離、γ補正、ホワイトバランスその他の信号処理が行われる。信号処理回路３で生成された映像信号は、液晶制御回路４を介して半透過型液晶ディスプレイ（以下、半透過型ＬＣＤ）５に供給される。
【０００９】
マイコン６は、信号処理回路３に対して、所定のアルゴリズムによりオートアイリスやオートホワイトバランス等を施すとともに、液晶制御回路４に対して、コントラストや色合い等の設定を施す。また、マイコン６は、バックライト制御回路７に対して、バックライト８の点灯、消灯および光量調整の制御をすることで、映像信号が半透過型ＬＣＤ５に視認性良く表示される。ストロボ９は、暗いところで静止画を撮影する際に使用され、マイコン６からの指示によって発光し、調光センサ１０からの光量情報に基づいて、明るくなり過ぎないように発光量が抑制される。また、調光センサ１０は、ストロボ発光時だけでなく、ストロボ非発光時にも周囲の明るさに応じた電圧信号を出力し、その電圧レベルをマイコン６で読み込むことで、カメラの周囲の明るさを検出し、その明るさに応じた制御信号をバックライト制御回路７へ送り、バックライト８を最適な明るさに調整する。
【００１０】
図２は、図１に示した第１の実施形態におけるマイコン６の光量調整の動作を示すフローチャートである。先ず、ステップＳ１で、調光センサ１０の出力電圧ＶｓｔをＡ／Ｄ変換しカメラの周囲の明るさを検出する。ステップＳ２では、検出した出力電圧Ｖｓｔを所定の閾値Ｖｔｈと比較し、周囲が明るいか否かを判別する。半透過型ＬＣＤ５は、日中の屋外等非常に明るい環境下では、バックライトなしでも十分な視認性が確保できるため、閾値Ｖｔｈは例えば日中の屋外を基準として設定する。ステップＳ２で、閾値Ｖｔｈよりも出力電圧Ｖｓｔが大きいと判別された場合は、ステップＳ３に進み、バックライト８の消灯処理を行い、電力の消費を抑える。ステップＳ２で、閾値Ｖｔｈよりも出力電圧Ｖｓｔが大きくないと判別された場合は、ステップＳ４に進み、バックライト８の点灯処理を行う。次に、ステップＳ５に進み、出力電圧Ｖｓｔの値に基づき、暗い場合は光量を上げ、明るい場合は光量を下げる等の光量調整をする。これらステップＳ１からステップＳ５の処理を定期的に行うことで、カメラの使用条件が変化してもそれに合わせて追従し、常にバックライト８の最適な光量調整が可能となる。
【００１１】
図３は、第２の実施形態である、リモコン受光部を有するカメラの半透過型液晶ディスプレイの照明装置のブロック図である。図において、レンズ１１を通った被写体光は、撮像素子（以下、ＣＣＤ）１２の受光面に結像する。ＣＣＤ１２は受光面に結像した被写体光を、その光量に応じた量の電荷に変換する。こうして蓄積された信号電荷は、ＣＣＤ駆動回路（図示せず）から加えられる駆動パルスに基づいて順次転送され、信号電荷に応じた電気信号に変換される。ＣＣＤ１２から読み出された電気信号は、信号処理回路１３に送られ、ここでゲイン調整、Ａ／Ｄ変換、色分離、γ補正、ホワイトバランスその他の信号処理が行われる。信号処理回路１３で生成された映像信号は、液晶制御回路１４を介して半透過型液晶ディスプレイ（以下、半透過型ＬＣＤ）１５に供給される。
【００１２】
マイコン１６は、信号処理回路１３に対して、所定のアルゴリズムによりオートアイリスやオートホワイトバランス等を施すとともに、液晶制御回路１４に対して、コントラストや色合い等の設定を施す。また、マイコン１６は、バックライト制御回路１７に対して、バックライト１８の点灯、消灯および光量調整の制御をすることで、映像信号が半透過型ＬＣＤ１５に視認性良く表示される。リモコン受光部１９は、図示しないリモコン送信機からの赤外線からなる光信号を受信して、カメラの操作用の信号をｏｕｔ１としてマイコンに送るとともに、リモコン送信機からの光信号を受信していないときは、周囲の明るさに応じた電圧信号をｏｕｔ２として出力し、その電圧レベルをマイコン１６で読み込むことで、カメラの周囲の明るさを検出し、その明るさに応じた制御信号をバックライト制御回路１７へ送り、バックライト１８を最適な明るさに調整する。
【００１３】
図４は、リモコン受光部１９の内部構成を示すブロック図である。リモコン受光部１９は、リモコン送信機からの発光パルスをフォトダイオード２１が受光し電気信号に変換してアンプ２２へ送る。アンプ２２は入力された電気信号を増幅し、ブロック２３へ送る。リミッタ、ＢＰＦ、ＴＲＡＰ等からなるブロック２３では、入力された信号から必要な信号成分を取り出し、波形整形部２４へ送る。波形整形部２４は、入力された信号を波形整形して受信パルス信号とし、出力ｏｕｔ１  として出力する。この受信パルス信号からなる出力ｏｕｔ１  は、マイコン１６に入力された後、検波され、リモコン送信機からの指示として使用される。一方、アンプ２２からの出力は別系統の出力ｏｕｔ２として、直接マイコン１６に入力され、フォトダイオード２１で検出した明るさ情報として利用される。
【００１４】
図３の第２の実施形態におけるマイコン１６の光量調整の動作は、図２に示した第１の実施形態のフローチャートと同一であるので説明を省略する。
また、上述した第１および第２の実施形態では、液晶ディスプレイとして、半透過型ＬＣＤ５，１５を用いているが、透過型の液晶ディスプレイを用いる場合も、同様な光量調整の制御を行うことで最適な明るさの液晶ディスプレイの表示が得られる。
【００１５】
【発明の効果】
以上述べたように本発明によれば、カメラの半透過型または透過型の液晶ディスプレイの照明装置において、カメラの周囲の明るさを検出するセンサとして、ストロボ調光センサまたはリモコン受光部を兼用することにより、部品点数が減り、カメラの小型化とコストダウンが可能となる。
【図面の簡単な説明】
【図１】本発明の第１の実施形態を示すブロック図である。
【図２】図１に示したマイコンの光量調整の動作を示すフローチャートである。
【図３】本発明の第２の実施形態を示すブロック図である。
【図４】図３のリモコン受光部の内部構成を示すブロック図である。
【符号の説明】
１  レンズ
２  撮像素子（ＣＣＤ）
３  信号処理回路
４  液晶制御回路
５  半透過型液晶ディスプレイ（半透過型ＬＣＤ）
６  マイコン
７  バックライト制御回路
８  バックライト
９  ストロボ
１０  調光センサ
１１  レンズ
１２  撮像素子（ＣＣＤ）
１３  信号処理回路
１４  液晶制御回路
１５  半透過型液晶ディスプレイ（半透過型ＬＣＤ）
１６  マイコン
１７  バックライト制御回路
１８  バックライト
１９  リモコン受光部
２１  フォトダイオード
２２  アンプ
２３  ブロック（リミッタ、ＢＰＦ、ＴＲＡＰ等）
２４  波形整形部
【図１】
2004236247.tif 000003
【図２】
2004236247.tif 000004
【図３】
2004236247.tif 000005
【図４】
2004236247.tif 000006